(57)【要約】      （修正有）【課題】エレベータ装置の乗かごから離れた位置から乗かごの不停止階の設定及び解除の操作を可能としてこれらの操作を使い勝手良く行なうことのできるエレベータ装置を提供する。【解決手段】乗かごの不停止階の設定及び解除の指令を入力可能である手動入力手段４に前記乗かごの不停止階の設定及び解除の指令を無線信号に変換して送信する送信手段５−ｂを設け、当該手動入力手段により入力された指令に応じて前記乗かごを制御する制御手段７に前記無線信号を受信する受信手段５−ｆを設け、前記手動入力手段の送信手段から送信される無線送信信号を受信し、当該送信信号を前記制御手段の受信手段に無線送信する中継手段６−ａを備え、前記手動入力手段に前記設定または解除の情報を保持する指令保持手段を備えることによって達成できる。【選択図】図１
2007106533.tif 000002
【特許請求の範囲】
【請求項１】
少なくとも乗かごの不停止階の設定及び解除の指令を入力可能である手動入力手段と、当該手動入力手段により入力された指令に応じて前記乗かごを制御する制御手段とを備え、前記手動入力手段は、前記乗かごの不停止階の設定及び解除の指令を無線信号に変換して送信する送信手段を有し、前記制御手段は、前記無線信号を受信する受信手段を有するエレベータ装置において、
前記手動入力手段の送信手段から送信される無線送信信号を受信し、当該送信信号を前記制御手段の受信手段に無線送信する中継手段を備え、
前記手動入力手段が、前記設定または解除の情報を保持する指令保持手段を有することを特徴とするエレベータ装置。
【請求項２】
請求項１記載のエレベータ装置において、
前記指令保持手段は、機械的な手段によって前記設定または解除の状態を保持することを特徴とするエレベータ装置。
【請求項３】
請求項１または２記載のエレベータ装置において、
前記指令保持手段は、前記設定または解除の状態を示す情報を保持する不揮発性の半導体メモリを供え、
前記手動入力手段は、電源が供給されているときに、前記設定あるいは解除の状態を表示する表示手段を備えたことを特徴とするエレベータ装置。
【請求項４】
請求項２または３記載のエレベータ装置において、
電源の喪失後の復電あるいは無線通信の異常後の復旧の場合に、前記指令保持手段が保持する前記設定または解除の情報を前記制御手段の受信手段に送信し、前記設定及び解除の情報に応じて前記制御手段が乗かごを制御することを特徴とするエレベータ装置。
【請求項５】
請求項２または３記載のエレベータ装置において、
前記指令保持手段が保持する設定または解除の情報を前記受信手段へ周期的に送信し、当該送信信号による前記設定または解除の情報に応じて前記制御手段が乗かごを制御することを特徴とするエレベータ装置。
【発明の詳細な説明】
【技術分野】
【０００１】
本発明は、乗かごの不停止階を設定する指令や、乗かごの不停止階が設定された状態を解除する指令を入力したとき、その指令に従って乗かごを制御するエレベータ装置に係わり、特に、当該指令を遠隔から行なうことのできるエレベータ装置に関する。
【背景技術】
【０００２】
従来、この種のエレベータ装置としては、特許文献１に示される技術がある。この従来技術は、乗かごの不停止階の設定及び解除の指令等、各種運転操作モードに関する指令を入力するための手動入力手段と、この手動入力手段により入力される指令を無線送信する送信手段とを含む可搬型の無線装置と、乗かご内の操作盤に設置され、前記送信手段からの無線信号を受信する受信手段と、この受信手段により受信された無線信号で示される指令に応じて乗かごの制御を行なう制御手段とから構成されており、この送信手段の送信電波強度は、１〜１．５ｍ離れた位置にある受信手段に送信ができる程度、すなわち、乗かご内で受信手段へ送信できる程度に設定されている。
【特許文献１】特開平７−４１２５９号公報
【発明の開示】
【発明が解決しようとする課題】
【０００３】
従来技術では、乗かごの不停止階の設定及び解除を行なうに際しては、乗かご内での通信を行なうことを前提とする関係上、前述のように、可搬型無線装置の送信手段の送信電波強度が１〜１．５ｍと近距離内での通信範囲であるため、可搬型無線装置を乗かご付近に持っていって操作しなければならない。つまり、従来技術では、乗かごの不停止階の設定及び解除を行なうために、エレベータ装置の乗かごまで出向かなければならない煩わしさがあった。
【０００４】
本発明の目的は、上記従来技術の実情を考慮してなされたものであり、エレベータ装置の乗かごから離れた位置から乗かごの不停止階の設定及び解除の操作を可能としてこれらの操作を使い勝手良く行なうことのできるエレベータ装置を提供することにある。
【課題を解決するための手段】
【０００５】
上記目的を達成するために、本発明の第１の手段は、少なくとも乗かごの不停止階の設定及び解除の指令を入力可能である手動入力手段と、当該手動入力手段により入力された指令に応じて前記乗かごを制御する制御手段とを備え、前記手動入力手段は、前記乗かごの不停止階の設定及び解除の指令を無線信号に変換して送信する送信手段を有し、前記制御手段は、前記無線信号を受信する受信手段を有するエレベータ装置において、前記手動入力手段の送信手段から送信される無線送信信号を受信し、当該送信信号を前記制御手段の受信手段に無線送信する中継手段を備え、前記手動入力手段が、前記設定または解除の情報を保持する指令保持手段を有することを特徴とするエレベータ装置としたものである。
【０００６】
本発明の第２の手段としては、前記第１の手段記載のエレベータ装置において、前記指令保持手段は、機械的な手段によって前記設定または解除の状態を保持することを特徴とするエレベータ装置としたものである。
【０００７】
本発明の第３の手段としては、前記第１または２の手段記載のエレベータ装置において、前記指令保持手段は、前記設定または解除の状態を示す情報を保持する不揮発性の半導体メモリを供え、前記手動入力手段は、電源が供給されているときに、前記設定あるいは解除の状態を表示する表示手段を備えたことを特徴とするエレベータ装置としたものである。
【０００８】
本発明の第４の手段としては、前記第２または３の手段記載のエレベータ装置において、電源の喪失後の復電あるいは無線通信の異常後の復旧の場合に、前記指令保持手段が保持する前記設定または解除の情報を前記制御手段の受信手段に送信し、前記設定及び解除の情報に応じて前記制御手段が乗かごを制御することを特徴とするエレベータ装置としたものである。
【０００９】
本発明の第５の手段としては、前記第２または３の手段記載のエレベータ装置において、前記指令保持手段が保持する設定または解除の情報を前記受信手段へ周期的に送信し、当該送信信号による前記設定または解除の情報に応じて前記制御手段が乗かごを制御することを特徴とするエレベータ装置としたものである。
【発明の効果】
【００１０】
本発明によれば、乗かごの不停止階の設定及び解除の指令を入力可能である手動入力手段に前記乗かごの不停止階の設定及び解除の指令を無線信号に変換して送信する送信手段を設け、当該手動入力手段により入力された指令に応じて前記乗かごを制御する制御手段に前記無線信号を受信する受信手段を設け、前記手動入力手段の送信手段から送信される無線送信信号を受信し、当該送信信号を前記制御手段の受信手段に無線送信する中継手段を備え、前記手動入力手段に前記設定または解除の情報を保持する指令保持手段を備えることによって、エレベータ装置の管理室等、乗かごから比較的離れた位置からでも、容易かつ確実に乗かごの不停止階の設定及び解除の指令を、乗かごを制御する制御手段に伝達して、乗かごの所望の動作を行なわせることが可能となったものである。
【発明を実施するための最良の形態】
【００１１】
本発明においては、乗かごの不停止階の設定及び解除の指令を送信する手動入力手段と当該指令を受信する制御手段との間に、当該指令を無線で送受信する中継手段を配置すれば、エレベータ装置の乗かごの不停止階の設定及び解除の操作を必要とするエレベータ装置の管理者の居室からでも乗かごの不停止階の設定及び解除の操作を行なうことが可能となることに気がつき、この乗かごの不停止階の設定及び解除の動作を確実に行なうため、検討の結果、前記手動入力手段に、前記設定または解除の情報を保持する指令保持手段を設けたものである。
【００１２】
即ち、前記中継手段を使用した場合に、中継の異常によって、手動入力手段で乗かごの不停止階の設定を解除したにも拘わらず、指令が届かないために乗かごの不停止階が設定されたままになる等の手動入力手段からの指令とエレベータ装置の乗かごの動作が不一致になったり、手動入力手段が電子回路で構成されていると、電源の喪失によって前記設定及び解除指令状態が不定となり、復電時に手動入力手段からの指令と乗かごの動作とが不一致となることが予想され、このような事故を防止するために、電源の喪失時においても前記設定または解除の情報を保持する指令保持手段を前記手動入力手段に設け、中継の異常によってエラーが発生しても、前記指令保持手段から繰り返し指令を自動的に送信することによって、所期の目的を達成できるようにしたものである。
【００１３】
このような指令保持手段としては、波形スイッチ等の機械的な手段によって前記設定または解除の状態を保持するようにしてもよいが、不揮発性の半導体メモリを使用し、このメモリ内に、前記設定または解除の状態を示す情報を格納、保持し、電源の喪失によっても前記情報が消失しないようにすることもできる。この際に、前記手動入力手段は、電源が供給されているときに、前記設定あるいは解除の状態を表示する表示手段を備えていれば、復電時に、前記設定あるいは解除の状態を確認することができるので好ましい。
【００１４】
前記指令保持手段からの乗かごの不停止階の設定及び解除の指令を、通電中、常時送信するようにしてもよいが、所定間隔をおいて、周期的に送信するようにすれば、電源の省力化が可能となるので好ましい。
【００１５】
次に、本発明に係わるエレベータ装置の実施形態について、図面に基づいて説明する。
【００１６】
図１は、本発明の一実施形態に係わるエレベータ装置の基本的な全体の構成を示す概略図で、１は、エレベータ装置の機械室に備えられる制御盤（以下制御盤という）であり、一般に、エレベータ利用者からの指示に従ってエレベータ装置を運行させる図示しないマイクロコンピュータ制御部分とモータを制御するインバータ部分を有している。２及び３は、それぞれ、制御盤１に装備され、後述する設置形無線装置からの乗かごの不停止階の設定及び解除の指令を制御盤１に入力するシリアル通信ポート及び入出力接点である。
【００１７】
４は、エレベータ装置の乗かごの不停止階の設定及び解除の指令等の呼びを発生させる可搬型無線装置（手動入力手段）であり、エレベータ装置の管理者の執務室やマンションの居室等に配置されるものである。７は、据置設置型無線装置であり、前記可搬型無線装置４からの乗かごの不停止階の設定及び解除の指令信号を受信して乗かごの不停止階の設定及び解除要求に従って制御盤１のシリアルポート２や入出力接点３等からのインターフェイス９を介して制御盤１に対して、乗かごの不停止階の設定及び解除を指示する。
【００１８】
６−ａ、６−ｂは、中継無線装置であり、可搬型無線装置４、設置型無線装置７や他の中継無線装置から到来する電波８を中継する。この図１では、２つの中継無線装置６−ａ、６−ｂしか図示していないが、可搬型無線装置４と設置型無線装置との距離が長くなる場合には、必要に応じてこの中継無線装置の配置数を増やして電波の伝送距離を伸ばせることは明らかである。
【００１９】
５−ｂ、５−ｄ、５−ｅ、５−ｆは、それぞれ、可搬型無線装置４、中継無線装置６−ａ、６−ｂ及び設置型無線装置７に内臓される無線通信器であり、これらの無線通信器５−ｂ、５−ｄ、５−ｅ、５−ｆによって、前記可搬型無線装置４からの乗かごの不停止階の設定及び解除の指令信号等を無線電波８で送受信して中継無線装置６−ａ、６−ｂを介して可搬型無線装置４から比較的遠距離にある設置型無線装置７に所要の指令信号を送受信する。
【００２０】
この場合、無線電波８の通信方式は、中継無線装置６−ａ、６−ｂを介してバケツリレーの如く伝送を行なうマルチホップ通信と呼ばれる通信方式が適しており、マルチホップ通信方式としては、例えば、ＺｉｇＢｅｅ（ｈｔｔｐ：／／ｗｗｗ．ｚｉｇｂｅｅ．ｏｒｇ）や米国Ｅｍｂｅｒ社（ｈｔｔｐ：／／ｗｗｗ．ｅｍｂｅｒ．ｃｏｍ）のＥｍｂｅｒＮｅｔと呼ばれる２．４Ｇｈｚ帯の近距離（１０ｍ〜１００ｍ）通信を可能とする方式を好適に採用することができ、これらの近距離通信は、後述するように、壁やドアの有無等建物の状況に応じて、中継無線装置６−ａ、６−ｂを配置することにより、障害物を迂回して電波８の不感地帯をなくすことができ、電磁波的に複雑な構造を持つビル内の通信に好適である。
【００２１】
図２及び図３は、本発明による一実施態様を示す可搬型無線装置４の外観図及びその内部構成図であり、２２は無線通信器５に接続されるアンテナであり、この実施態様では、外部アンテナを図示しているが可搬型無線装置４の筐体に内蔵するものであってもよい。
【００２２】
２３は、可搬型無線装置４からの乗かごの不停止階の設定及び解除を指示するためのプッシュスイッチであり、押し下げ毎に設定指示と解除指示を繰り返す。このプッシュスイッチ２３の設定指示または解除指示を検知し、これらの検知信号によって入力バッファ３３から設定指示または解除指示の指令信号がバスライン３４を介してマイクロコントローラ３１に送給される。これらの指令信号をマイクロコントローラ３１で、所定周期で無線通信器５に送給し、無線通信器５は、これらの指令信号を無線電波８に変換して、アンテナ２２から送信する。
【００２３】
この指令信号の送信時に、可搬型無線装置４の識別番号を設定するＩＤ回路３２から送給される識別番号信号が前記指令信号に追加して送信される。このＩＤ回路３２では、可搬型無線装置４の識別番号をディップスイッチやジャンパーピン、ＲＯＭ等の不揮発性デバイスを利用することにより容易に設定することができる。この識別番号を利用することによって、他の可搬型無線装置４による混信やエラーの発生を防止することができる。
【００２４】
３０は、前記プッシュスイッチ２３によって検出される前記可搬型無線装置４からの乗かごの不停止階の設定及び解除の指令信号を記憶するための不揮発メモリであり、可搬型無線装置４の電源の喪失に拘わらず、プッシュスイッチ２３によって指示された設定指令や解除指令の情報を保持し、電源の復電時に、電源喪失時に保持された情報をマイクロコントローラ３１に送給して、エラーの発生を防止できるようにしている。この不揮発メモリ２９としては、ＦＲＡＭ、ＦＥＲＡＭ、ＭＲＡＭと呼ばれるものやバッテリバックアップされたＳＲＡＭを用いることができる。
【００２５】
２４、２５、２７、２８は、それぞれ、乗かごの不停止階の設定及び解除状態、電源の有無、通信エラーやその他のエラーを表示するＬＥＤ等からなる表示器で、それぞれの状態を、出力バッファ３５を介して出力される出力信号に応じて表示を行なう。なお、マイクロコントローラ３１は、前述の無線通信器５の制御を行う他に、入出力デバイスのデータ授受を行なったりすると共に、通信スタックと呼ぶプロトコル処理用のプログラムを内蔵している。
【００２６】
可搬型無線装置４として、上記構成とすることによって、可搬型無線装置４からの乗かごの不停止階の設定及び解除の指令信号を適切に送信することが可能となるが、前記設定または解除の情報を保持する指令保持手段としては、前記不揮発性メモリ２９に変えて機械的な手段によって行なうことも可能である。
【００２７】
この機械的手段による指令保持手段を使用した実施態様について、図４及び図５に基づいて説明する。
【００２８】
この実施態様では、基本的には、前記図２及び図３で示す実施態様と同じであり、可搬型無線装置４からの乗かごの不停止階の設定及び解除の指示を行なうスイッチがプッシュスイッチ２３から波形スイッチ等の切り換えスイッチ２９に変更され、設定指示あるいは解除指示の状態を機械的に維持して、電源の復電時に、電源の喪失時の状態を保持して当該送信可能とするものである。この実施態様においては、スイッチ２９自体が状態保持及び状態表示機能を持つので、表示器２４、２５や不揮発メモリ２９が不要になり、前述の実施態様に比べ安価かつ簡単な構成となる。なお、図４及び図５において使用される構成部品が前記図２及び図３で使用された構成部品と同一のものについては、同一符号が付されている。
【００２９】
次に、本発明による一実施態様の中継無線装置について図６に基づいて説明すると、中継無線装置６は、無線通信を中継するだけでよいので、可搬型無線装置４から入出力手段を省いた構成とすることができる。即ち、無線通信器５とこの無線通信器５を制御するマイクロコントローラ３１のみで構成することができる。もちろん、前記可搬型無線装置４を中継無線装置６として兼用することも可能である。
【００３０】
図７は、本発明による一実施態様の設置型無線装置７の内部構成を示すものであるが、設置型無線装置７は、可搬型無線装置４と同じ無線通信器５とマイクロコントローラ３１を有し、エレベータ装置の制御盤１とのインターフェイスとして、接点出力９−ａとＲＳ−２３２Ｃ等のシリアル通信ポート９−ｂを装備する。この実施態様においては、設置型無線装置７は接点入力を備えていないが、制御盤１からの状態信号が接点出力で供給される場合には、設置型無線装置７に接点入力を設ける必要があることは言うまでもない。このような接点入力の有無が本発明の本質に関係ないことは明らかである。なお、近年のエレベータ装置には、遠隔保守用の遠隔監視装置が付加されることが多く、設置型無線装置７のシリアル通信ポート９−ｂを遠隔監視装置に接続して、遠隔監視装置経由で制御盤１と通信することによって本発明を実施することもできる。この方がエレベータ装置の改造を発生させないので有利な場合がある。
【００３１】
この設置型無線装置７では、前記可搬型無線装置４から送信された乗かごの不停止階の設定及び解除の指令信号が正当なものであるか否かを確認するため、前記可搬型無線装置４からの乗かごの不停止階の設定及び解除の指令信号と共に送信される可搬型無線装置４の識別番号(ＩＤ）をチェックする必要があり、そのため、設置型無線装置７には、利用される可搬型無線装置４のＩＤを登録しているＩＤテーブル５１を備えており、このＩＤテーブルを使用して、前記可搬型無線装置４からの乗かごの不停止階の設定及び解除の指令信号の正当性をチェックするようにしている。なお、図７中の３７及び３８は、バスラインと出力バッファである。
【００３２】
次に、本発明によるエレベータ装置の中継無線装置の配置状況について図８〜図１１に基づいて説明する。
【００３３】
図８は、本発明によるエレベータ装置の中継無線装置の配置の一実施態様を示す図で、エレベータ装置の管理者の居室Ａ内に備えてある可搬型無線装置４ａから乗かご６３の不停止階の設定及び解除の指示を行なう際の中継無線装置６−ａ、６−ｂの配置状態を示すものである。
【００３４】
設置型無線装置７は、制御盤１の近くに配置するが、通常、可搬型無線装置４−ａとの距離は離れており、微弱無線や小電力無線では、電波８が到達できない。このため、水平方向の電波到達距離を確保するために、中継無線装置６−ａを配置し、さらに、垂直方向の電波到達距離を確保するために、エレベータ装置の昇降路６４内に、中継無線装置６−ｂを配置して無線の中継を行なうようにしている。
【００３５】
この場合に、エレベータ装置の昇降路６４内と機械室６５との間は、ほとんど閉塞されているが、エレベータ装置のロープ落とし口６６として３００ｍｍ以上のスリットが形成されていれば、電波伝播には問題ない。また、最近の機械室なしのエレベータ装置においては、昇降路６４内に制御盤１が配置されるので、電波伝播は特に問題とならない。なお、９は、制御盤１と設置型無線装置７とを接続するインターフェイスで、６１−ａ、６１−ｂ、６１−ｃは、各階に取り付けられるホールボタンの収納ボックスであり、６２は、当該収納ボックスに取り付けられ、乗かご６３を呼び出すためのホールボタンと制御盤１とで接続される通信線である。
【００３６】
図９は、本発明によるエレベータ装置の中継無線装置の配置の他の実施態様を示す図で、この実施態様では、中継無線装置６−ａ、６−ｂ、６−ｃは、エレベータ装置の昇降路６４を使用せず、各階の階段７２を使用して垂直方向の電波到達距離を確保する方法を示している。一般に、屋内の階段７２は、防火区画となっているため、鋼鉄製のドア７１−ａ、７１−ｂ、７１−ｃ、７１−ｄで仕切られている。このために、例えば、この図の中継無線装置６−ｃと６−ｄのように、中継無線装置をドア７１−ｃ及び７１−ｄの前後に配置してドアの間隙を使って電波伝播経路を確保している。
【００３７】
図１０は、本発明によるエレベータ装置の中継無線装置の配置についての他の実施態様を示す図で、この実施態様においては、設置型無線装置７をホールボタンの収納ボックス６１−ｂに配置し、可搬型無線装置４からの乗かごの不停止階の設定及び解除の指令信号を収納ボックス６１−ｂ内の設置型無線装置７で受信し、この信号をホールボタンと制御盤１とで接続されている通信線６２を利用して制御盤１に送給して、所定の動作を行なわせるものである。
【００３８】
図１１は、この場合における収納ボックス６１−ｂの内部構成を示すもので、収納ボックス６１−ｂは、停止階設定及び解除回路９１と不停止階設定及び解除キースイッチ９２を備えており、不停止階設定及び解除キースイッチ９２を設定位置または解除位置にセットすることによって、停止階設定及び解除回路９１から通信線６２を通じて制御盤１に、不停止階設定または解除の指示を行なうようになっている。この実施態様においては、この不停止階設定及び解除キースイッチ９２と設置型無線装置７の接点出力９−ａとを並列に接続している。従って、設置型無線装置７が可搬型無線装置４から不停止階設定指示を受信したときには、キースイッチ９２を短絡させ、これによって、制御盤１に対してあたかも不停止階設定及び解除キースイッチ９２が操作されたような信号を通信線６２を介して送ることができる。
【００３９】
次に、図１２〜図１５を用いてエレベータ装置の呼び登録の動作を説明する。
【００４０】
先ず、図１２は、前記図２及び３で示す可搬型無線装置の一実施態様に該当する場合を示し、指令保持手段として不揮発性メモリを有する可搬型無線装置４の状態遷移を示す。これらの状態遷移は、可搬型無線装置４内のマイクロコントローラ３１内のプログラムを実行することによって実現される。
【００４１】
電源が投入されると可搬型無線装置４の内部回路の初期化を行い（１００）、保存状態の読み出し、即ち、不揮発性メモリ３０の内容及び可搬型無線装置４のＩＤを読み出し（１１３）、不停止階設定または解除状態及び可搬型無線装置４のＩＤを設置型無線装置７に向けて送信して（１０２）、復電前の不停止階設定または解除状態を反映する。通常は、不停止階設定、解除スイッチ２３からの入力待ち状態（１０１）状態になっており、スイッチ２３が押されると不停止階設定または解除要求の電文を無線通信器５から設置型無線装置７に向けて送信して（１０２）、設置型無線装置７からの応答の待ち状態（１０３）に遷移する。ここで電文には、不停止階設定または解除情報、ＩＤ回路３２によって指示される可搬型無線装置４のＩＤ及び中継に必要な情報が含まれる。
【００４２】
設置型無線装置７から応答があると（１１０）、応答電文に含まれる不停止階設定または解除情報を表示器２４または２５に表示すると共に、この情報を不揮発性メモリ２９に格納し、再び入力待ち状態（１０１）に遷移する。但し、エレベータ装置の運転休止などで呼び登録に失敗した場合には、エラーを表示器２８に表示して（１０７）、不揮発性メモリに状態を変更せずに再び入力待ち状態（１０１）に遷移する。
【００４３】
一方、規定時間内に応答がない場合（１１１）、通信異常が発生したと判断して再び入力待ち状態（１０１）に遷移する。入力待ち状態（１０１）で規定時間内に入力がない場合（１０８）には、電波伝播状態を計測するためのダミー電文を設置型無線装置７に向けて送信して（１０５）、設置型無線装置７からの応答待ち状態（１０６）に遷移する。設置型無線装置７から応答があると（１１２）、再び入力待ち状態（１０１）に遷移する。設置型無線装置７から応答がない場合（１１１）は、通信異常が発生したとエラーを表示器２８に表示して（１０７）、再び入力待ち状態（１０１）に遷移する。
【００４４】
次に、中継無線装置６の状態遷移について図１３に基づいて説明する。これらの状態遷移は、中継無線装置内のマイクロコントローラ３１内のプログラムを実行することで実現される。
【００４５】
電源が投入されると中継無線装置６の内部回路の初期化を行い（１１５）、電波伝播範囲内に配置された可搬型無線装置４、設置型無線装置７あるいは他の中継無線装置６からの受信待ち状態（１１６）になる。電文を受信すると、同一内容の電文を生成し、無線通信器５から電波伝播範囲内に配置された可搬型無線装置４、設置型無線装置７あるいは他の中継無線装置６に向けて送信して(１１７)、再び受信待ち状態（１１６）に遷移する。
【００４６】
次に、設置型無線装置７の状態遷移について図１４を用いて説明する。これらの状態遷移は、設置型無線装置７のマイクロコントローラ３１内のプログラムを実行することで実現される。
【００４７】
電源が投入されると設置型無線装置７の内部回路の初期化を行い（１２０）、電波伝播範囲内に配置された可搬型無線装置４あるいは中継無線装置６からの受信待ち状態（１２１）になる。電文を受信すると、電文に含まれる可搬型無線装置４の識別情報からＩＤテーブル５１を検索して可搬型無線装置４の利用者を特定、確認し（１２２）、登録されたものであれば乗かごの不停止階設定または解除情報を設定、出力する（１２３）。呼び登録が完了するとエレベータ装置の乗かご位置情報と運転方向情報及び呼び登録に成否を含む応答電文を可搬型無線装置４に向けて送信し（１２４）、その後、以後の情報の受信待ちに遷移する(１２１)。  一方、ＩＤの確認を行なったが認証を失敗した場合（１２５）には、再び、可搬型無線装置４からの送信の受信待ちに遷移する。
【００４８】
次に、図１５を用いて指令保持手段として機械的な手段を使用した図４及び図５の実施態様の可搬型無線装置４の状態遷移を説明する。即ち、機械的スイッチ２９が不停止階設定または解除状態を保持するタイプの可搬型無線装置４の場合を示す。これらの状態遷移は、可搬型無線装置４内のマイクロコントローラ３１内のプログラムを実行することで実現される。
【００４９】
電源が投入されると可搬型無線装置４の内部回路の初期化を行い（１００）、スイッチ２９の状態を読み出して（１３１）不停止階設定または解除状態を設置型無線装置７に向けて送信して（１３２）、設置型無線装置７からの応答待ち状態（１０３）に遷移する。通常は、スイッチ２９の状態を読み出して(１３１)送信を周期的に繰り返して、常にスイッチ２９の状態とエレベータ装置の制御状態、即ち、不停止階設定又は解除状態を合致させる。規定時間内に応答がない場合、エラー表示器２８を表示し(１３４)、スイッチ状態読み出し（１３１）に遷移する。
【００５０】
以上のように、本発明によるエレベータ装置においては、設置型無線装置７から比較的遠距離に配置された可搬型無線装置４からの乗かごの不停止階設定または解除の指令によって、設置型無線装置７に送信して、適切に、乗かごの所期の動作をおこなわせることが可能となる。
【図面の簡単な説明】
【００５１】
【図１】本発明による一実施態様に係わるエレベータ装置の全体構成を示す図である。
【図２】本発明によるエレベータ装置の一実施態様の可搬型無線装置の斜視図である。
【図３】図２の可搬型無線装置の内部構成を示す図である。
【図４】本発明によるエレベータ装置の他の実施態様の可搬型無線装置の斜視図である。
【図５】図４の可搬型無線装置の内部構成を示す図である。
【図６】本発明によるエレベータ装置の一実施態様の中継無線装置の内部構成を示す図である。
【図７】本発明によるエレベータ装置の一実施態様の設置型無線装置の内部構成を示す図である。
【図８】本発明によるエレベータ装置の一実施態様の無線装置の配置を示す図である。
【図９】本発明によるエレベータ装置の他の実施態様の無線装置の配置を示す図である。
【図１０】本発明によるエレベータ装置の他の実施態様の無線装置の配置を示す図である。
【図１１】本発明によるエレベータ装置の設置型無線装置を内蔵した収納ボックスの内部構成を示す図である。
【図１２】本発明によるエレベータ装置の一実施態様の可搬型無線装置の状態遷移を示す図である。
【図１３】本発明によるエレベータ装置の一実施態様の中継無線装置の状態遷移を示す図である。
【図１４】本発明によるエレベータ装置の一実施態様の設置型無線装置の状態遷移を示す図である。
【図１５】本発明によるエレベータ装置の他の実施態様の可搬型無線装置の状態遷移を示す図である。
【符号の説明】
【００５２】
１    エレベータ装置の制御盤
２    制御盤のシリアル通信ポート
３    制御盤の入出力接点
４、４−ａ    可搬型無線装置
５、５−ｂ、５−ｄ、５−ｅ、５−ｆ    無線通信器
６、６−ａ、６−ｂ、６−ｃ、６−ｄ    中継無線装置
７    設置型無線装置
８    電波
９    インターフェイス
９−ａ    設置型無線装置の接点出力
９−ｂ    設置型無線装置のシリアル通信ポート
２２    アンテナ
２３    プッシュスイッチ
２４、２５、２７、２８    可搬型無線装置の表示器
２９    波形スイッチ
３０    不揮発性メモリ
３１    マイクロコントローラ
３２    ＩＤ入出力部
５１    ＩＤテーブル
６１−ａ、６１−ｂ、６１−ｃ    収納ボックス
６２    通信線
６３    乗かご
６４    昇降路
６５    機械室
６６    ロープ落とし口
７１−ａ、７１−ｂ、７１−ｃ、７１−ｄ    ドア
７２    階段
９１    停止階設定・解除回路
９２    キースイッチ
【図１】
2007106533.tif 000003
【図２】
2007106533.tif 000004
【図３】
2007106533.tif 000005
【図４】
2007106533.tif 000006
【図５】
2007106533.tif 000007
【図６】
2007106533.tif 000008
【図７】
2007106533.tif 000009
【図８】
2007106533.tif 000010
【図９】
2007106533.tif 000011
【図１０】
2007106533.tif 000012
【図１１】
2007106533.tif 000013
【図１２】
2007106533.tif 000014
【図１３】
2007106533.tif 000015
【図１４】
2007106533.tif 000016
【図１５】
2007106533.tif 000017